(57)【要約】【課題】  ナースステーション等の空間を仕切ることにより、一般業務と衛生業務を、容易に同時に行うことができるとともに、ナースステーション等の中央であっても、床面上に配線を行わずに電源コードや通信コードの配線を簡単に行うことができ、かつ患者の容態に関する情報を得て、看護師等が業務を効率的に行うことができるようにするための医療関連業務サポート用什器を提供する。【解決手段】  医療施設において、床面上に立設した左右の脚柱２，２の上方に、支柱４を連結し、この左右の支柱４，４間に、上部、下部のビーム３３，３４を渡設するとともに、このビーム３３，３４間に、間仕切パネル６を設け、前記ビーム３３，３４の少なくとも一方に、モニター機器８を取付け、かつ電源コード３１等を天井などの上方より配線するための配線ダクト５を、前記支柱４に添設する。【選択図】        図２
2007020656.tif 000002
【特許請求の範囲】
【請求項１】
医療施設において、床面上に立設した左右の支持柱間に間仕切パネルを取付けるとともに、電源コードまたは通信コードを上方より配線するための上下方向に延びる配線ダクト、および患者の容態に関する情報を表示するモニター機器を設けたことを特徴とする医療関連業務サポート用什器。
【請求項２】
左右の支持柱間に、上部、下部のビームを渡設し、この両ビームによって間仕切パネルを取付けるとともに、両ビームのいずれかにモニター機器を取付けたことを特徴とする請求項１記載の医療関連業務サポート用什器。
【請求項３】
支持柱を、床面上に立設した脚柱の上方に、上下方向に相対的に移動可能な支柱を連結して構成し、この左右の支柱間に上部、下部のビームを渡設したことを特徴とする請求項２記載の医療関連業務サポート用什器。
【請求項４】
配線ダクトを、左右の支柱の少なくとも一方に添設したことを特徴とする請求項３記載の医療関連業務サポート用什器。
【請求項５】
配線ダクトを、支柱に着脱可能に添設したことを特徴とする請求項４記載の医療関連業務サポート用什器。
【請求項６】
配線ダクトを介して、上方より配線した電源コードを、複数のコンセントを備えるコンセントボックスに電気的に連結し、このコンセントボックスを、左右の脚柱または支柱間に渡設したことを特徴とする請求項３〜５のいずれかに記載の医療関連業務サポート用什器。
【請求項７】
モニター機器の下方に、モニター機器と連結されたパソコンを載置するための天板を設けたことを特徴とする請求項１〜６のいずれかに記載の医療関連業務サポート用什器。
【請求項８】
間仕切パネルの下方に、間仕切パネルで仕切られる両側のエリアに亘って、天板を設けたことを特徴とする請求項１〜７のいずれかに記載の医療関連業務サポート用什器。
【請求項９】
間仕切パネルによって仕切られる両エリアのうち、モニター機器が設けられた方のエリアを、一般業務エリアとして使用するとともに、他方のエリアを衛生作業エリアとして使用するための間仕切装置としたことを特徴とする請求項１〜８のいずれかに記載の医療関連業務サポート用什器。
【請求項１０】
間仕切パネルによって仕切られる両エリアのうち、一般業務エリアに、医療関連業務サポート用什器に隣接してミーティングテーブルを設置したことを特徴とする請求項９記載の医療関連業務サポート用什器。
【請求項１１】
ミーティングテーブルの天板を、医療関連業務サポート用什器の幅寸法とほぼ同じにしたことを特徴とする請求項１０記載の医療関連業務サポート用什器。
【請求項１２】
患者と看護師等との間の情報を通信するための通信機器を組込んだことを特徴とする請求項１〜１１のいずれかに記載の医療関連業務サポート用什器。
【請求項１３】
病院内を移動するカートに載置された、電子カルテを保存したパソコン等の各種電子機器に電源を供給するための電源ポートとして使用するものとしたことを特徴とする請求項１〜１２のいずれかに記載の医療関連業務サポート用什器。
【発明の詳細な説明】
【技術分野】
【０００１】
本発明は、ナースステーション等の医療関連の執務や作業の業務を行う空間を仕切り、業務を効率的に行うための医療関連業務サポート用什器に関する。
【背景技術】
【０００２】
病院のナースステーション等においては、患者の容態の看視や患者への通信による連絡、患者の容態に関するデータの整理とパソコンへの入力作業、ミーティング、後時間担当者への申し送り等の一般業務とともに、診療に用いる各種材料や器具の消毒、洗浄、使用後の廃棄処分、清掃などの作業過程で液物を取扱う衛生業務とが行われている。これらの一般業務と衛生業務とは、同一のナースステーション等の空間内で、同時に、あるいは予め定められた時間帯に従って行われており、エリア内が煩雑になってしまいがちである。
【０００３】
また、ナースステーション内は、衛生業務を初めとして、床面に液物がこぼれる虞が大きく、清掃し易くするため、床面をタイル等で構成する場合が多く、床下に配線を通すことが困難である。
【０００４】
ナースステーションには、患者の容態に関する情報を表示するモニター機器が設置されているが、ナースステーションの中央にこれらの機器を配置しようとすると、前記の事情から床面上を配線が通ることになり、邪魔になるばかりでなく、看護師等が配線につまずき、安全上も問題である。このため、モニター機器を初めとする電源を必要とする機器、および電源用コンセントは、壁面に沿って設置されており、看護師等がナースステーションの中央で一般業務や衛生業務を行う場合、モニター機器等や電源用コンセントとの距離が離れており、業務を効率的に行い難いという問題があった。
【０００５】
看護師等の業務を効率よく行うために、たとえば特許文献１には、カウンター板、カルテ収容戸棚、レントゲン写真透視装置および電源用コンセント等を設けた、病院内を移動可能なキャスター付きの什器が開示されている。
【０００６】
しかし、たとえば、この什器をナースステーションの中央に設置したとしても、この什器に電源を供給するために、電源コードを床面上に配線しなければならず、前記の問題は解決されない。
【特許文献１】特開平９−２３８９８９号公報
【発明の開示】
【発明が解決しようとする課題】
【０００７】
本発明は、上記の問題点に鑑み、必要に応じて、ナースステーション等の空間を仕切ることにより、一般業務と衛生業務を、容易に同時に行うことができるとともに、ナースステーション等の中央であっても、床面上に配線を行わずに電源コードや通信コードの配線を簡単に行うことができ、かつ患者の容態に関する情報を得て、看護師等が業務を効率的に行うことができるようにするための医療関連業務サポート用什器を提供することを目的とする。
【課題を解決するための手段】
【０００８】
上記課題は、特許請求の範囲における各請求項に示すように、下記の構成を備える発明によって解決される。
(１)  医療施設において、床面上に立設した左右の支持柱間に間仕切パネルを取付けるとともに、電源コードまたは通信コードを上方より配線するための上下方向に延びる配線ダクト、および患者の容態に関する情報を表示するモニター機器を設けた医療関連業務サポート用什器とする。
【０００９】
(２)  上記(１)項において、左右の支持柱間に、上部、下部のビームを渡設し、この両ビームによって間仕切パネルを取付けるとともに、両ビームのいずれかにモニター機器を取付ける。
【００１０】
(３)  上記(２)項において、支持柱を、床面上に立設した脚柱の上方に、上下方向に相対的に移動可能な支柱を連結して構成し、この左右の支柱間に上部、下部のビームを渡設する。
【００１１】
(４)  上記(３)項において、配線ダクトを、左右の支柱の少なくとも一方に添設する。
【００１２】
(５)  上記(４)項において、配線ダクトを、支柱に着脱可能に添設する。
【００１３】
(６)  上記(３)項〜(５)項のいずれかにおいて、配線ダクトを介して、上方より配線した電源コードを、複数のコンセントを備えるコンセントボックスに電気的に連結し、このコンセントボックスを、左右の脚柱または支柱間に渡設する。
【００１４】
(７)  上記(１)項〜(６)項のいずれかにおいて、モニター機器の下方に、モニター機器と連結されたパソコンを載置するための天板を設ける。
【００１５】
(８)  上記(１)項〜(７)項のいずれかにおいて、間仕切パネルの下方に、間仕切パネルで仕切られる両側のエリアに亘って、天板を設ける。
【００１６】
(９)  上記(１)項〜(８)項のいずれかにおいて、間仕切パネルによって仕切られる両エリアのうち、モニター機器が設けられた方のエリアを、一般業務エリアとして使用するとともに、他方のエリアを衛生作業エリアとして使用するための間仕切装置とする。
【００１７】
(10)  上記(９)項において、間仕切パネルによって仕切られる両エリアのうち、一般業務エリアに、医療関連業務サポート用什器に隣設してミーティングテーブルを設置する。
【００１８】
(11)  上記(10)項において、ミーティングテーブルの天板を、医療関連業務サポート用什器の幅寸法とほぼ同じにする。
【００１９】
(12)  上記(１)項〜(11)項のいずれかにおいて、患者と看護師等との間の情報を通信するための通信機器を組込む。
【００２０】
(13)  上記(１)項〜(12)項のいずれかにおいて、病院内を移動するカートに載置された、電子カルテを保存したパソコン等の各種電子機器に電源を供給するための電源ポートとして使用するものとする。
【発明の効果】
【００２１】
本発明によると、次のような効果が奏せられる。
請求項１記載の発明によれば、左右の支持柱間に間仕切パネルが設けられているため、必要に応じて、ナースステーション等の空間を仕切ることができ、一般業務エリアと衛生業務エリアを明確化し、容易に同時に両者の業務を効率的に行うことができる。
また、上方より配線するための配線ダクトが設けられているため、本発明の医療関連業務サポート用什器を、ナースステーション等の中央に設置した場合であっても、床面上に配線を行わずに、電源コードや通信コードの配線を、たとえば天井から簡単に行うことができるため、看護師等がこれらのコードにつまずくこともなく、かつ床面に液物をこぼしても、コードが濡れることがなく、安全であり、さらに清掃も容易である。
さらに、患者の容態に関する情報を表示するモニター機器を設けてあるため、その情報を得て、看護師等が業務を効率的に行うことができる。
【００２２】
請求項２記載の発明によれば、間仕切パネルやモニター機器を、容易に、かつ強固に取付けることができる。
【００２３】
請求項３記載の発明によれば、支柱を、脚柱に対して上下方向に移動させて、ビームに取付けた間仕切パネルやモニター機器を所望の高さに調節することができる。
【００２４】
請求項４記載の発明によれば、配線ダクトを、上下方向に簡単に取付けることができるため、天井などの上方からの電源コード等の配線が容易である。
【００２５】
請求項５記載の発明によれば、電源コードや通信コードの数量や、電源の位置等に応じて、配線ダクトを、たとえば左支柱から右支柱に付け換えたり、あるいは、一方の支柱に複数の配線ダクトを取付けたりすることが、容易にできる。
【００２６】
請求項６記載の発明によれば、複数のコンセントを備えるコンセントボックスが、左右の脚柱または支柱間に渡設されているため、間仕切パネルで仕切られた一般業務エリアと衛生業務エリアの両方から、各種機器の電源を容易にとることができる。
【００２７】
請求項７記載の発明によれば、看護師等がパソコンを操作して、自分が得たい患者に関する情報を積極的に知ることができるため、一般業務を効率的に行うことができる。
【００２８】
請求項８記載の発明によれば、天板を、たとえば、一般業務エリアにおいては、パソコンの置台や執務デスクとして利用することができるとともに、衛生業務エリアにおいては、診療に用いる各種の材料や器具の一時的な置台として利用することができる。
【００２９】
請求項９記載の発明によれば、必要に応じて、ナースステーション等の空間を区切り、一般業務エリアと衛生業務エリアとを明確化して、効率的に業務を行うことができる。
【００３０】
請求項１０記載の発明によれば、医療関連業務サポート用什器を、ナースステーション等の中央に設置して、電源を天井などの上方からとり、モニター機器により、患者の情報を得ながら、多人数でミーティングを行うことが可能となる。
【００３１】
請求項１１記載の発明によれば、ミーティングテーブルの天板が、医療関連業務サポート用什器の幅寸法とほぼ同じであるため、医療関連業務サポート用什器にミーティングテーブルを隣接して設置しても、違和感がなく、たとえば、ミーティングに参加する人数に応じて、複数のミーティングテーブルを並べて設置しても見栄えが良好である。
【００３２】
請求項１２記載の発明によれば、看護師等が、モニター機器によって、患者の容態に関する情報を得ながら、適宜、患者の担当医師と連絡をとることができるため、業務を効率的に行うことができる。
【００３３】
請求項１３記載の発明によれば、身近に電源がない場合でも、医療関連業務サポート用什器を電源ポートとして用いることにより、パソコン等の各種電子機器の電源を容易にとることができるため、業務を効率的に行うことができる。
【発明を実施するための最良の形態】
【００３４】
図１は、本発明の医療関連業務サポート用什器の一実施形態を示す斜視図、図２は、図１に示した医療関連業務サポート用什器の分解斜視図、図３は、図１における破線円III内の拡大分解斜視図、図４は、同じくIV〜IV線断面図、図５は、同じく破線円Ｖ内の拡大分解斜視図である。
【００３５】
本発明の医療関連業務サポート用什器(１)は、図１，図２に示すように、床面上に立設された左右１対の脚柱(２)(２)間に、コンセントボックス(３)を渡設するとともに、前記各脚柱(２)に、天井近くまで延びる支柱(４)を連結し、この左右の支柱(４)(４)の一方に配線ダクト(５)を添設し、かつ左右の支柱(４)(４)間に間仕切パネル(６)を配設するとともに、この間仕切パネル(６)の下方に、天板(７)を設け、かつ間仕切パネル(６)の前方に、患者の容態に関する情報を表示するモニター機器(８)(８)を取付けて構成されている。天板(７)上には、通信機器(９)として電話が設けられている。
【００３６】
脚柱(２)は、前後方向の脚台(10a)の中央に、脚管(10b)を立設して形成されている。医療関連業務サポート用什器(１)は、移動可能であって、脚台(10a)の下面の前後端部近傍には、レベル調整具(10c)が取付けられている。
【００３７】
コンセントボックス(３)は、下向きコ字状をなす左右方向のチャネル材の上面に、コンセント口が位置するように複数のコンセント(11)を配設するとともに、左右端近傍に側板(3a)を設けて形成されている。このコンセントボックス(３)は、図２，図３に示すように、左右の脚管(10b)(10b)の対向面における上端部間に、ねじ(12)をもって、内方から取付けられている。
【００３８】
図６は、左右の脚管(10b)(10b)近傍の拡大分解斜視図である。
【００３９】
図２，図６に示すように、コンセントボックス(３)の下方には、上部、下部の横連結杆(13)(14)が、ねじ(15)(16)をもって、左右の脚管(10b)(10b)間に渡設されている。
【００４０】
上部、下部の横連結杆(13)(14)は、いずれも、角管からなる。上部横連結杆(13)における左右端部近傍の下部には、左右方向の側面視において上向きコ字状の前後方向の係止部材(15)(15)が取付けられ、この係止部材(15)の左右両面における前後端部近傍には、それぞれ左右方向の係止突起(16)(16)が設けられている。
【００４１】
下部横連結杆(14)の上面における左右端近傍には、上面が開口する小箱体(17)(17)が、ねじ(18)をもって取付けられている。
【００４２】
上部、下部の横連結杆(13)(14)における左右の係止部材(15)(15)と小箱体(17)(17)の間には、左右方向の側面視において、ハット状の取付板(19)が、ねじ(20)をもって、上部、下部の横連結杆(13)(14)間に取付けられている。
【００４３】
この取付板(19)における凹陥部(19a)には、収納ボックス(21)が、ねじ(22)をもって、後方から取付けられている。
【００４４】
この収納ボックス(21)は、ナースコールや電話等の通信機器(９)や、モニター機器(８)に接続される電子機器本体の収納部となっている。
【００４５】
左右の脚管(10b)(10b)間の前後面は、幕板(23)(23)で覆われている。幕板(23)は、上面視において、外側向きの扁平なほぼ台形状をなし、その内側面(23a)には、上部の左右端近傍に、それぞれ１対の下向き係合凹部(24a)(24a)を備える係合部(24)(24)と、下部の左右端近傍に下向きの係合片(25)(25)とが付設されている。
【００４６】
幕板(23)における上部左右の係合部(24)(24)の各係合凹部(24a)を、上部横連結杆(13)における左右の係止部材(15)(15)の各係止突起(16)に係合させるとともに、幕板(23)における下部左右の係合片(25)(25)を、下部横連結杆(14)における左右の小箱体(17)(17)の前板(17a)または後板(17b)に係合させることにより、幕板(23)(23)が懸架されて、左右の脚管(10b)(10b)間の前後面を覆っている。
【００４７】
図１，図２に示すように、左右の脚管(10b)(10b)には、天井近くまで延びる支柱(４)が連結されている。
【００４８】
図３，図４に示すように、支柱(４)は、角管における４つの各側面(26)に、開口部が挟められた長さ方向の係合溝(27)を設けて形成されている。
【００４９】
脚管(10b)の上端には、支柱(４)の断面外形と補形をなす通孔(28a)を備えるキャップ(28)が被冠されており、支柱(４)の下端部を前記通孔(28a)に挿通して、脚管(10b)の外側から、ねじ(29)を脚管(10b)に穿設された孔(10d)を通して、支柱(４)の下端部における孔(4a)にねじ込むことにより、支柱(４)が脚管(10b)に固定されている。
【００５０】
なお、支柱(４)に上下に複数の孔(4a)(4a)を穿設しておくことにより、支柱(４)を脚管(10b)に対して相対的に移動させて、医療関連業務サポート用什器(１)に取付けられている、詳しくは後記する間仕切パネル(６)やモニター機器(８)の高さを調節することができる。
【００５１】
左右の角管状の支柱(４)(４)の一方には、支柱(４)における４つの各側面(26)に、配線ダクト(５)が添設されている。配線ダクト(５)は、図４に示すように、上下方向に延びる基板(5a)の両縁を外側斜めに折り曲げて、少々延ばした後、両遊端(5b)(5b)が近接するように弧状に延設するとともに、基板(5a)の外側面に、外向きの係止爪(5c)(5c)を有する１対の上下方向の係止片(5d)(5d)を設け、かつ基板(5a)の内側面における中央に、外側向きの上下方向の突起片(5e)を設けて形成されている。
【００５２】
この配線ダクト(５)は、その基板(5a)の外側面に設けられた１対の係止片(5d)(5d)を、支柱(４)における側面(26)の開口部が挟められた係合溝(27)に係合させて、支柱(４)に着脱可能に添設されている。
【００５３】
支柱(４)の上端には、図５に示すように、配線コード受け(30)が取付けられている。配線コード受け(30)は、上方に向けてゆるやかに前後方向に凹状に湾曲し、左右方向の両端の中央が切欠かれて、この切欠部(30a)から電源コード(31)を配線ダクト(５)に配線しうるようになっている。
【００５４】
配線コード受け(30)には、多数のスリット(30b)が設けられており、下方から、電源コード(31)を透視しうるようになっている。この配線コード受け(30)は、ねじ(32)をもって、上方から、支柱(４)の上端に取付けられている。
【００５５】
なお、必要に応じて、配線コード受け(30)および配線ダクト(５)を、左右両方の支柱(４)(４)に設けてもよい。左右の支柱(４)(４)間には、図２に示すように、上部、下部のビーム(33)(34)が渡設されている。
【００５６】
図７は、これらのビーム(33)(34)に、間仕切パネル(６)およびモニター機器(８)を取付ける形態を示す部分拡大分解斜視図、図８は、図７におけるVIII〜VIII線断面図である。
【００５７】
図５，図７，図８に示すように、両ビーム(33)(34)は、断面が縦長のほぼ方形をなし、上下面に各１個、前後面に各２個の開口部が挟められた左右方向の係合溝(35)が設けられている。
【００５８】
これらのビーム(33)(34)は、図５に示すように、その左右端面に設けられた止め孔(36)に、ねじ(37)を、左右方向の外側から、支柱(４)に設けられた通孔(4b)を挿通させてねじ込むことにより、左右の支柱(４)(４)間に渡設されている。
【００５９】
上部、下部のビーム(33)(34)間には、図７，図８に示すように、間仕切パネル(６)が取付けられている。間仕切パネル(６)は、図８に示すように、その上端縁を、上部ビーム(33)における下面の係合溝(35a)に、下端縁を、下部ビーム(34)における上面の係合溝(35b)に、それぞれ嵌合させて、両ビーム(33)(34)間に取付けられている。
【００６０】
モニター機器(８)は、その後面に設けられている取付具(38)における上下１対の下向き係止片(38a)(38a)を、それぞれ下部ビーム(34)の前面における、開口部が挟められた上下の係合溝(35c)(35c)に係合させることにより、下部ビーム(34)に取付けられている。
【００６１】
図１，図２に示すように、間仕切パネル(６)の下方には、天板(７)が取付けられている。この天板(７)は、図２に示すように、左右方向の内側から、ねじ(39)をもって、支柱(４)(４)に取付けられた１対のブラケット(40)(40)により支持されている。下方から、ねじ(41)を、ブラケット(40)に穿設された孔(40a)を挿通させて、天板(７)の下面にねじ込むことにより、天板(７)は、ブラケット(40)上に固定されている。
【００６２】
天板(７)の左右端縁における前後方向の中央は、外側から半円状に切欠かれているとともに、ブラケット(40)の上板(40b)における前後方向の中央も、切欠かれており、これらの切欠部(7a)、(40c)同士の位置を整合させて配線コードの通口(42)としてある。
【００６３】
本発明の医療関連業務サポート用什器は、次のように使用することができる。
主としてナースステーション内で用いる什器として、電源コード(31)や各種通信線等の配線を可能とするとともに、ナースコール、電話等の各種通信機器(９)および患者の容態に関する情報を表示するモニター機器(８)を、一括して供給することができる医療関連業務サポート用什器(１)として使用することができる。すなわち、具体的には、各種通信機器(９)、モニター機器(８)、配線ダクト(５)を設けるとともに、移動可能な医療関連業務サポート用什器(１)とすることにより、ナースステーション内の所望の位置で、看護師等が患者の容態に関する情報を得ながら、患者への通信による連絡をとることができるとともに、配線ダクト(５)を利用してパソコン等の電源をとり、患者の容態に関するデータの整理とパソコンへの入力作業などの一般業務を効率的に行うための什器として使用することができる。
【００６４】
また、医療関連業務サポート用什器(１)をナースステーション内の業務を妨げない位置に配置して、ラップトップパソコンの充電や、その他の各種電子機器に電源を供給するための電源ポートとして使用することができる。
【００６５】
また、支柱(４)間に間仕切パネル(６)を取付けることにより、必要に応じて、ナースステーション等の空間を仕切り、患者の容態の看視や患者への通信による連絡、患者の容態に関するデータの整理とパソコンの入力作業、ミーティング、後時間担当者への申し送り等の一般業務を行う一般業務エリアと、診療に用いる各種材料や器具の消毒、洗浄、使用後の廃棄処分、清掃などの作業過程で液物を取扱う衛生業務を行う衛生業務エリアとを明確化し、同時に両者の業務を効率的に行う什器として使用することができる。
【００６６】
さらに、天井等の上方より配線するための配線ダクト(５)を設けることにより、医療関連業務サポート用什器(１)をナースステーション等の中央に設置した場合であっても、電源コード(31)や各種の通信コードの配線を床面上に行う必要をなくし、看護師等がこれらのコードにつまずくことを防止し、かつ床面に液物をこぼしても、コードが濡れることがなく、安全で、かつ清掃を容易にするための什器としても使用することができる。
【００６７】
また、ナースステーション等の中央に設置した医療関連業務サポート用什器(１)の間仕切パネル(６)により仕切られた一般業務エリアに、医療関連業務サポート用什器(１)に隣接してミーティングテーブルを設置することにより、モニター機器(８)などの電源を、天井などの上方からとり、患者の容態に関する情報を得ながら、多人数でミーティングを行うこともできる。この場合、ミーティングテーブルの天板を、医療関連業務サポート用什器(１)の幅寸法とほぼ同じにすることにより、ミーティングテーブルを隣接して設置した場合の違和感をなくすことが望ましい。
さらに、ミーティングに参加する人数に応じて、複数のミーティングテーブルを並べて設置することもできる。
【図面の簡単な説明】
【００６８】
【図１】本発明の医療関連業務サポート用什器の一実施形態を示す斜視図である。
【図２】図１に示した医療関連業務サポート用什器の分解斜視図である。
【図３】図１における破線円III内の拡大分解斜視図である。
【図４】同じく、図１におけるIV〜IV線断面図である。
【図５】同じく、図１における破線円Ｖ内の拡大分解斜視図である。
【図６】左右の脚管近傍の拡大分解斜視図である。
【図７】間仕切パネルおよびモニター機器を取付ける形態を示す部分拡大分解斜視図である。
【図８】図７におけるVIII〜VIII線断面図である。
【符号の説明】
【００６９】
(１)医療関連業務サポート用什器
(２)脚柱
(３)コンセントボックス
(４)支柱
(4a)孔
(4b)通孔
(５)配線ダクト
(5a)基板
(5b)遊端
(5c)係止爪
(5d)係止片
(5e)突起片
(６)間仕切パネル
(７)天板
(7a)切欠部
(８)モニター機器
(９)通信機器
(10a)脚台
(10b)脚管
(10c)レベル調整具
(10d)孔
(11)コンセント
(12)ねじ
(13)(14)横連結杆
(15)係止部材
(16)係止突起
(17)小箱体
(17a)前板
(17b)後板
(18)ねじ
(19)取付板
(19a)凹陥部
(20)ねじ
(21)収納ボックス
(22)ねじ
(23)幕板
(23a)内側面
(24)係合部
(24a)係合爪
(25)係合片
(26)側面
(27)係合溝
(28)キャップ
(28a)通孔
(29)ねじ
(30)配線コード受け
(30a)切欠部
(30b)スリット
(31)電源コード
(32)ねじ
(33)(34)ビーム
(35)(35a)(35b)(35c)係合溝
(36)止め孔
(37)ねじ
(38)取付具
(38a)係止片
(39)ねじ
(40)ブラケット
(40a)孔
(40b)上板
(40c)切欠部
(41)ねじ
(42)通口
【図１】
2007020656.tif 000003
【図２】
2007020656.tif 000004
【図３】
2007020656.tif 000005
【図４】
2007020656.tif 000006
【図５】
2007020656.tif 000007
【図６】
2007020656.tif 000008
【図７】
2007020656.tif 000009
【図８】
2007020656.tif 000010